(57)【要約】【課題】  非表示スイッチの入力操作を可能とし、作業中に異常が発生した場合、表示されている画面情報を速やかに外部装置へ送信し、プリントアウトや表示処理を行わせることのできる表示装置を提供すること。【解決手段】  表示手段１０と、表示手段１０に表示する画面情報を格納する画面情報記憶手段２１と、表示手段１０へのタッチ入力を検出するタッチ入力検出手段４０と、プリンタ７０又は記憶媒体８０との間でデータ通信を行う通信手段５０と、これらの手段を制御する制御手段３０とを装備し、制御手段３０が、表示手段１０に対してなされた軌跡タッチ入力操作に応答し、現在表示されている画面情報を、通信手段５０を介してプリンタ７０又は記憶媒体８０に送信するように構成する。【選択図】  図１
2005084862.tif 000002
【特許請求の範囲】
【請求項１】
表示手段と、該表示手段に表示する画面情報を格納する画面情報記憶手段と、前記表示手段へのタッチ入力を検出するタッチ入力検出手段と、外部装置との間でデータ通信を行う通信手段と、これらの手段を制御する制御手段とを備えた表示装置であって、
前記制御手段が、前記表示手段に対してなされた軌跡タッチ入力操作に応答し、現在表示されている画面情報を、前記通信手段を介して前記外部装置に送信するように構成されていることを特徴とする表示装置。
【請求項２】
前記軌跡タッチ入力操作が、所定の文字入力操作であり、
前記外部装置が、プリンタであり、前記軌跡タッチ入力操作により前記画面情報がプリントアウトされるものであることを特徴とする請求項１記載の表示装置。
【請求項３】
前記軌跡タッチ入力操作が、所定の文字入力操作であり、
前記外部装置が、他の表示装置であり、前記軌跡タッチ入力操作により前記画面情報が前記他の表示装置の表示手段に表示させるものであることを特徴とする請求項１記載の表示装置。
【請求項４】
作画ソフトにおいてユーザに軌跡を描かせる登録軌跡入力ステップと、
該軌跡に対応する処理を設定する軌跡処理設定ステップと、
請求項１〜３のいずれかの項に記載の表示装置に、前記軌跡処理設定を転送して、軌跡の解析とその動作の決定を行う軌跡判断情報を更新する軌跡判断情報更新ステップとを含む表示装置のカスタマイズ方法。
【請求項５】
作画ソフトにおいてユーザに軌跡を描かせる登録軌跡入力ステップと、
該軌跡に対応する処理を設定する軌跡処理設定ステップと、
請求項１〜３のいずれかの項に記載の表示装置に、前記軌跡処理設定を転送して、軌跡の解析とその動作の決定を行う軌跡判断情報を更新する軌跡判断情報更新ステップとを含む前記表示装置におけるカスタマイズ機能を実現させるカスタマイズプログラムが記録されたことを特徴とするコンピュータ読み取り可能な記録媒体。
【発明の詳細な説明】
【技術分野】
【０００１】
本発明は表示装置、そのカスタマイズ方法及びカスタマイズプログラムが記録されたコンピュータ読み取り可能な記録媒体に関し、より詳細には主に工場内のライン管理等に用いられる表示装置、そのカスタマイズ方法及びカスタマイズプログラムが記録されたコンピュータ読み取り可能な記録媒体に関する。
【背景技術】
【０００２】
近年、工場内の製造装置、検査装置、工程管理装置などの機器には、各機器での処理状況などを表示するための表示装置が搭載されるようになってきている。これらの表示装置にはタッチパネル形式の入力手段が装備され、表示内容の確認及び表示手段へのタッチ動作により各機器を簡単に扱うことができるようになっている。また、表示装置の制御プログラムを書き換えることにより、ボタン等のスイッチやテキスト、画像などを表示画面に自由にレイアウトでき、様々な設置環境に対応することができるようになっている。
【０００３】
このような表示装置の表示画面は、一般に、複数のページから構成されており、各ページに表示されたボタンを押すことにより、該当ページにジャンプしたり、接続された装置へデータを出力したりできるようになっている。ページ間のジャンプが多いと作業効率が低下するので、各ページで頻繁に用いられるボタンは可能な限り該当ページ内に表示されるようになっている。しかし、画面内に表示するボタンが多くなると誤操作を誘発するなどの不具合が生じ易くなるため、表示ボタン数を抑えて操作性の良い画面レイアウトを得ることも大切であった。
【０００４】
このような問題に対処するために、頻繁に用いられるスイッチを画面に表示させず、入力軌跡の認識により操作可能とする技術が知られている。例えば、カーナビゲーションシステムに組み込まれたタッチパネルでは、タッチ入力された軌跡を記憶し、該タッチ入力軌跡が登録されている文字や記号などに該当すると判断した場合、道路地図の拡大縮小やスクロールなど、各タッチ入力軌跡に対応する表示処理を実行する機能を備えたものがある（例えば、特許文献１参照）。
【０００５】
また、タッチパネル形式ではないが、画面を切り替えずに非表示スイッチの入力操作を行う技術として、ＣＡＤなどのアプリケーションを組み込んだ表示装置であって、マウスによって描かれた文字等の入力軌跡を識別処理する機能を備えた表示装置がある（例えば、特許文献２参照）。
【０００６】
工場内の製造装置、検査装置、工程管理装置などの機器に搭載された表示装置では、例えば、測定値が規格外である、搬送されたロットが予定されたものと異なる、禁止された処理を行おうとした、などの異常があれば、警告音が発せられ、警告灯が点灯すると共に、画面にエラーメッセージ等が表示されるようになっているのが一般的である。このような場合、発生した異常の原因究明のため、作業管理者は表示されたエラーメッセージ等を記録することが望ましい。
【０００７】
しかしながら、特許文献１に記載の表示装置は、カーナビゲーションシステムに搭載されたものであり、道路地図の拡大縮小やスクロールなど、表示内容を切り替えるだけのものであり、このような状況に対応できるものではなかった。
【０００８】
また、特許文献２に記載の表示装置においても、ＣＡＤアプリケーション用の表示装置であり、表示画面の拡大縮小や作図モードの変更、オブジェクトの削除など、作業環境を切り替えるものや作図を行うものであり、このような状況に対応できるものではなかった。さらに該表示装置では、マウスを用いたタッチ入力が前提となっており、マウスが装備されておらず、簡潔且つ迅速な操作が可能であることが求められる上記のような工場内の機器に適用できるものではなかった。
【０００９】
このように、上述した従来の表示装置では、作業中に異常が発生した場合、その内容を表示したエラーメッセージ等をとっさに保存することはできなかった。エラーメッセージが発生した際に自動的にこれを保存させることも考えられるが、その場合、不要なエラーメッセージまで保存されてしまう、或いは、エラーとはならない程度の異常は保存されないなどの不具合があった。
【特許文献１】特開平９−０５０２３５号公報
【特許文献２】特開２００２−０９１６８８号公報
【発明の開示】
【課題を解決するための手段及びその効果】
【００１０】
本発明は上記課題に鑑みなされたものであって、非表示スイッチの入力操作を可能とし、作業中に異常が発生した場合、表示されている画面情報を速やかに外部装置へ送信し、プリントアウトや表示処理を行わせることのできる表示装置、そのカスタマイズ方法及びカスタマイズプログラムが記録されたコンピュータ読み取り可能な記録媒体を提供することを目的としている。
【００１１】
上記目的を達成するために本発明に係る表示装置（１）は、表示手段と、該表示手段に表示する画面情報を格納する画面情報記憶手段と、前記表示手段へのタッチ入力を検出するタッチ入力検出手段と、外部装置との間でデータ通信を行う通信手段と、これらの手段を制御する制御手段とを備えた表示装置であって、前記制御手段が、前記表示手段に対してなされた軌跡タッチ入力操作に応答し、現在表示されている画面情報を、前記通信手段を介して前記外部装置に送信するように構成されていることを特徴としている。
【００１２】
上記表示装置（１）によれば、前記表示手段に対する前記軌跡タッチ入力操作により、現在表示されている画面情報を前記外部装置に送信することができる。したがって、異常を認識した作業者は、前記表示手段の画面表示を切り替えることなく前記表示手段に対して前記軌跡タッチ入力操作を行うだけで、前記表示手段に表示されたエラーメッセージや異常な動作状況を示す画像等の画面情報を速やかに外部装置に送信し、そこで保存して、発生した異常の原因究明に備えることができる。
【００１３】
また、本発明に係る表示装置（２）は、上記表示装置（１）において、前記軌跡タッチ入力操作が、所定の文字入力操作であり、前記外部装置が、プリンタであり、前記軌跡タッチ入力操作により前記画面情報がプリントアウトされるものであることを特徴としている。
【００１４】
上記表示装置（２）によれば、前記表示手段に対する前記所定の文字入力操作により、現在表示されている画面情報を速やかにプリントアウトすることができる。したがって、異常を認識した作業者は、前記表示手段の画面表示を切り替えることなく前記表示手段に対して前記所定の文字入力操作を行うだけで、前記表示手段に表示されたエラーメッセージや異常な動作状況を示す画像等の画面情報を速やかにプリントアウトして印刷紙に保存し、発生した異常の原因究明に備えることができる。
【００１５】
また、本発明に係る表示装置（３）は、上記表示装置（１）において、前記軌跡タッチ入力操作が、所定の文字入力操作であり、前記外部装置が、他の表示装置であり、前記軌跡タッチ入力操作により前記画面情報が前記他の表示装置の表示手段に表示させるものであることを特徴としている。
【００１６】
上記表示装置（３）によれば、前記表示手段に対する前記所定の文字入力操作により、現在表示されている画面情報を速やかに前記他の表示装置の表示手段に表示させることができる。したがって、異常を認識した作業者は、前記表示手段の画面表示を切り替えることなく前記表示手段に対して前記所定の文字入力操作を行うだけで、前記表示手段に表示されたエラーメッセージや異常な動作状況を示す画像等の画面情報を速やかに前記他の表示装置の表示手段に表示させることができる。前記画面情報は、前記他の表示装置を介して、プリントアウトし、或いは記録媒体に書き込んで保存することができる。
【００１７】
また、本発明に係る表示装置のカスタマイズ方法（１）は、作画ソフトにおいてユーザに軌跡を描かせる登録軌跡入力ステップと、該軌跡に対応する処理を設定する軌跡処理設定ステップと、上記表示装置（１）〜（３）のいずれかに、前記軌跡処理設定を転送して、軌跡の解析とその動作の決定を行う軌跡判断情報を更新する軌跡判断情報更新ステップとを含むことを特徴としている。
【００１８】
上記表示装置のカスタマイズ方法（１）によれば、ユーザは、前記画面情報の前記外部装置における処理として、プリントアウト、或いは記録媒体への書き込み等の処理を設定することができ、表示装置をユーザの使用環境に適した利便性の高いものとすることができる。
【００１９】
また、本発明に係る記録媒体（１）は、作画ソフトにおいてユーザに軌跡を描かせる登録軌跡入力ステップと、該軌跡に対応する処理を設定する軌跡処理設定ステップと、上記表示装置（１）〜（３）のいずれかに、前記軌跡処理設定を転送して、軌跡の解析とその動作の決定を行う軌跡判断情報を更新する軌跡判断情報更新ステップとを含む上記表示装置（１）〜（３）のいずれかにおけるカスタマイズ機能を実現させるカスタマイズプログラムが記録されたことを特徴としている。
【００２０】
これにより、ユーザは、前記表示装置と通信可能なパーソナルコンピュータ等に上記記録媒体（１）をインストールするだけで、前記画面情報の前記外部装置における処理として、プリントアウト、或いは記録媒体への書き込み等の処理を設定することができ、表示装置をユーザの使用環境に適した利便性の高いものとすることができる。
【００２１】
尚、前記文字入力操作には、前記軌跡タッチ入力操作によって、文字、記号、図形などを描く入力操作が含まれる。
【発明を実施するための最良の形態】
【００２２】
以下、本発明に係る表示装置の実施の形態を図面に基づいて説明する。
図１は、実施の形態（１）に係る表示装置の構成を概略的に示したブロック図である。
図中１は、実施の形態（１）に係る表示装置を示しており、表示装置１は、表示手段１０と、記憶手段２０と、画面情報記憶手段２１と、制御手段３０と、タッチ入力検出手段４０と、通信手段５０とを備えている。さらに表示装置１には、通信手段５０を介して、処理装置２、プリンタ７０、記憶媒体８０が接続されている。
【００２３】
表示手段１０は、液晶ディスプレイ（LCD：Liquid Crystal Display）で構成されている。別の実施の形態では、ＥＬ（Electoro Luminescence）ディスプレイやＣＲＴ（Cathode Ray Tube）ディスプレイ、プラズマディスプレイパネルなど他の表示デバイスで構成されていてもよい。
【００２４】
記憶手段２０は、ＤＲＡＭ、ＦＥＰＲＯＭ、ＳＲＡＭ、ＶＲＡＭなどの記憶装置で構成されている。記憶手段２０に含まれる画面情報記憶手段２１は、表示手段１０に表示する画面情報（画面データ）を格納するものである。当該画面データは、例えば、ユーザが、処理装置２（パーソナルコンピュータなど）において画面作成ソフトウェア（作画ソフト）を用いてユーザ独自で作成した画面データを、当該表示装置１の画面情報記憶手段２１にダウンロード（転送）することにより形成される。
【００２５】
タッチ入力検出手段４０は、表示手段１０へのタッチ入力を検出するもの、より詳細には、タッチ入力の有無及びその入力座標を検出して出力するものであり、ＩＴＯ膜等の透明導電膜を用いた抵抗膜方式の入力検出装置で構成されている。別の実施の形態では、静電容量方式、光学方式、超音波方式などタッチパネルに適用される他の方式のタッチ入力検出装置であってもよい。
【００２６】
通信手段５０は、制御手段３０と有線又は無線接続された外部装置となる処理装置２、プリンタ７０、及び記憶媒体８０との間でデータ通信を行うためのものであり、データ通信に用いられる一般的なI/Oポートで構成されている。
【００２７】
制御手段３０は、表示手段１０、記憶手段２０、画面情報記憶手段２１、タッチ入力検出手段４０、及び通信手段５０を制御するものであり、ＣＰＵ等で構成されている。制御手段３０は、タッチ入力検出手段４０からの入力操作を監視しつつ、状況に応じた画面情報を画面情報記憶手段２１に生成し、該画面情報を表示手段１０に表示するように動作する。
【００２８】
さらに実施の形態（１）では、制御手段３０は、表示手段１０に対してなされた軌跡タッチ入力操作に応答し、現在表示されている画面情報を、通信手段５０を介してプリンタ７０又は記憶媒体８０に送信するように構成されている。以下、その詳細について説明する。
【００２９】
図２は、図１に示した制御手段の動作を示すフローチャートである。
まずステップＳ１００において、表示処理を実行する。即ち、所定の演算や通信の結果として更新されたデータを基に画面情報を生成し、該情報を画面情報記憶手段２１に格納して表示手段１０への表示処理を行う。
【００３０】
次いでステップＳ２００において、タッチ入力を検出したか否か、即ち、タッチ入力検出手段４０が表示手段１０に対してなされた入力操作を検出し、該入力操作の存在を示す出力を行ったか否かを判断する。タッチ入力を検出したと判断すると応答処理ステップＳ３００に進んで、各入力操作に応答する処理を行った後、ステップＳ４００に進む一方、タッチ入力を検出していないと判断すると直接ステップＳ４００に進む。
【００３１】
ステップＳ４００では、システムを終了すべきか否か、即ちシステム終了を指示するコマンドがなされたか否かを判断する。システムを終了すると判断すると図示したフローを終了する一方、システムを終了すべきでないと判断するとステップＳ１００に戻る。
【００３２】
図３は、図２に示した応答処理ステップＳ３００を詳細に示したフローチャートである。
制御手段３０は、上記ステップＳ２００においてタッチ入力を検出すると、まず、ステップＳ３０１で、タッチ入力検出手段４０から読み取った入力座標を記憶手段２０に記録する。ここでの記録に先だって記録済みの入力座標が存在する場合、該記録済みの入力座標に続くように新たな入力座標を追加する。したがって、ステップＳ３０１の繰り返しにより、最初に記録された入力座標（始点座標）、及びそれに続く入力座標（追加座標）からなる入力軌跡情報が形成される。
【００３３】
次いで、ステップＳ３０２に進んで、入力座標が移動したか否か、即ち、新たな入力座標と始点座標との間の距離が、０或いは軌跡タッチ入力操作の判定マージンとなる所定の基準値を越える値となっているか否かを判断する。入力座標が移動していないと判断するとステップＳ３０５に進む一方、入力座標が移動したと判断するとステップＳ３０３に進んで、記憶手段２０に記録されている入力モードを軌跡タッチ入力モードに設定した後、ステップＳ３０５に進む。
【００３４】
ステップＳ３０５では、表示手段１０に対して入力操作を行っている指等が、表示手段１０からリリースされたか否か、即ち、タッチ入力検出手段４０が入力操作を検出しなくなったか否かを判断する。リリースされたと判断するとステップＳ３０６に進む一方、リリースされていないと判断するとステップＳ３０１に戻る。
【００３５】
ステップＳ３０６では、入力モードが軌跡タッチ入力モードであるか否かを判断する。軌跡タッチ入力モードであると判断すると軌跡判断ステップＳ３０７に進む一方、軌跡タッチ入力モードでないと判断するとステップＳ３０８に進む。
【００３６】
軌跡判断ステップＳ３０７では、表示手段１０に対してなされた軌跡タッチ入力操作がプリントアウトを示す所定の文字入力操作、本実施の形態では文字「Ｐ」を描く文字入力操作に該当するか否かを判断する。「Ｐ」に該当すると判断すると軌跡入力応答ステップＳ３０９に進んで、プリントアウトのための制御情報及び現在表示されている画面情報をプリンタ７０に送信した後、ステップＳ３１４に進む。プリンタ７０は、上記送信を受けて上記画面情報をプリントアウトする。一方、「Ｐ」に該当しないと判断すると軌跡判断ステップＳ３１０に進む。
【００３７】
軌跡判断ステップＳ３１０では、表示手段１０に対してなされた軌跡タッチ入力操作が画面保存を示す所定の文字入力操作、本実施の形態では文字「Ｓ」を描く文字入力操作に該当するか否かを判断する。「Ｓ」に該当すると判断すると軌跡入力応答ステップＳ３１１に進んで、現在表示されている画面情報をハードディスク等の記録媒体８０に送信して記録した後、ステップＳ３１４に進む。一方、「Ｓ」に該当しないと判断するとステップＳ３１２に進んで、上記「Ｐ」及び「Ｓ」以外の文字を描く入力操作についての処理を行った後、ステップＳ３１４に進む。
【００３８】
他方、軌跡タッチ入力モードでないと判断してステップＳ３０８に進んだ場合、入力座標が表示手段１０の画面上の応答範囲内、例えば、表示されたスイッチのアウトライン内であるか否かを判断する。応答範囲内であると判断するとステップＳ３１３に進んで、その応答範囲に対応した応答処理を実行した後、ステップＳ３１４に進む一方、応答範囲内でないと判断すると意味のない入力と判断して直接ステップＳ３１４に進む。
【００３９】
ステップＳ３１４では、記憶手段２０に記録された入力座標、又は複数の入力座標からなる入力軌跡情報をリセットした後、ステップＳ３１５に進んで入力モードを通常入力モードに設定して、応答処理ステップＳ３００を終了する。
【００４０】
図４（ａ）は、エラーメッセージが表示された表示手段における画面の一例を示した図であり、（ｂ）及び（ｃ）は、それぞれ（ａ）に示した画面に対してなされた「Ｐ」及び「Ｓ」に該当する文字入力操作の一例を示した図であり、（ｄ）は、異常な動作状況が表示された表示手段における画面の一例を示した図である。
【００４１】
図４（ａ）又は図４（ｄ）に示したように、表示手段１０の画面には、実施の形態（１）に係る表示装置１が搭載された機器を制御するためのボタンスイッチＢや、関連する設備の状態を示すランプＬ、管理パラメータのグラフＧ等が表示されている。そして、図４（ａ）には、制御手段３０が表示装置１又は関連する設備における異常を感知して、エラーメッセージを表示した状態が示されている。図４（ｄ）には、管理パラメータが所定の規格値内で上限側に偏って推移するという異常な動作状況が示されている。この場合、管理パラメータは所定の規格値内であるので、エラーとはなっていない。
【００４２】
上述した実施の形態（１）に係る表示装置１によれば、表示手段１０に対する軌跡タッチ入力操作により、現在表示されている画面情報をプリンタ７０又は記憶媒体８０に送信することができる。
【００４３】
したがって、図４（ａ）又は図４（ｄ）に示したような画面により異常を認識した作業者は、表示手段１０の画面表示を切り替えることなく表示手段１０に対して、図４（ｂ）又は図４（ｃ）に示したような軌跡タッチ入力操作を行うだけで、表示手段１０に表示されたエラーメッセージや異常な動作状況を示す画像等の画面情報を速やかにプリントアウトして印刷紙に保存したり、記憶媒体８０に保存したりして、発生した異常の原因究明に備えることができる。
【００４４】
別の実施の形態では、軌跡タッチ入力操作として、上述した「Ｐ」、及び「Ｓ」以外の文字や記号、図形等を設定する。また、別の実施の形態では、所定の軌跡タッチ入力操作の入力があったか否かを判断する際に参照される軌跡判断情報をカスタマイズ可能に構成する。これによりユーザは、軌跡判断情報を設定して独自の文字入力操作を定義することができ、表示装置をユーザの使用環境に適した利便性の高いものとすることができる。
【００４５】
カスタマイズ可能とする方法の一例として、作画ソフトにおいてユーザに軌跡を描かせる登録軌跡入力ステップと、該軌跡に対応する処理を設定する軌跡処理設定ステップと、この軌跡処理設定を表示装置１に転送して、軌跡の解析とその動作の決定を行う軌跡判断情報を更新する軌跡判断情報更新ステップとを含む方法が挙げられる。図５は、この方法によって、軌跡判断情報のカスタマイズを行う際の作画ソフトがインストールされたパーソナルコンピュータにおける画面の一例を示した図である。
【００４６】
パーソナルコンピュータのＣＰＵは、表示画面の入力フィールドIにおいてユーザから軌跡タッチ入力操作の入力を受けると、軌跡判断情報を基に入力された軌跡を解析して、該軌跡に対応する文字又は記号を検索し、表示フィールドＤ１に表示してユーザに告知する。解析の結果、入力された軌跡が既に登録されているものに類似していると判断すると、その旨を警告する。次に、表示フィールドＤ１に表示した検索された文字又は記号の中から該当する１つをユーザに選択させる。検索結果に該当するものがない場合には、外付けしたキーボード等から入力させる。このようにして軌跡に対応する文字コードを決定する。
【００４７】
別の実施の形態では、軌跡と該軌跡に対応する文字コードとを予め登録しておき、どの軌跡及び文字コードの組に変更を加えるのかをユーザに選択させる。
【００４８】
次いで、設定テーブルＴにおいて、その軌跡タッチ入力操作に割り振る機能を、プルダウンメニューなどによりユーザに選択させて設定する。割り振る機能としては、プリントアウト、画面情報保存、次画面へ移動、前画面へ移動などが挙げられるがこれらに限定されるものではない。さらに、その軌跡タッチ入力操作の有効な範囲を決定する。即ち、表示手段１０の画面表示のうち、その軌跡タッチ入力操作を受け付け得る状態におくべき画面表示を、ユーザに選択させて設定する。
【００４９】
転送用ボタンＢ１の入力を受けると、以上のようにして生成した軌跡判断情報を新たな軌跡判断情報としてパーソナルコンピュータから表示装置１の記憶手段２０に転送する。別途作成した表示画面データがある場合、これと共に記憶手段２０に転送するとよい。
【００５０】
このようにして軌跡判断情報を更新することにより、制御手段３０が、設定テーブルＴにおいて設定された軌跡タッチ入力操作の有効な範囲内の画面表示時に、該当する軌跡タッチ入力操作があると判断すると、設定テーブルＴにおいて設定された処理を行うようにすることができる。
【００５１】
尚、図４（ｂ）又は図４（ｃ）に示した軌跡タッチ入力操作の軌跡は、入力の動作を表現するためのものであり、実際に表示手段１０に表示されるものではない。別の実施の形態では、制御手段３０が、上記軌跡を画面情報記憶手段２１に書き込んで表示手段１０に表示させる。この場合、上記軌跡を含む画面情報がプリンタ７０等の外部装置に送信されないように、送信用の画面情報を記憶手段２０の他の場所に格納しておくことが望ましい。
【００５２】
図６は、実施の形態（２）に係る表示装置の構成を概略的に示したブロック図である。
図中１Ａは、実施の形態（２）に係る表示装置を示しており、５は、他の表示装置を示している。表示装置１Ａは、表示手段１０と、記憶手段２０と、画面情報記憶手段２１と、制御手段３０Ａと、タッチ入力検出手段４０と、通信手段５０Ａとを備えている。これらの手段については上述した実施の形態（１）の場合と同様であるので、ここではその説明を省略する。ただし、表示装置１Ａにおいては、処理装置２の他に、外部装置となる他の表示装置５が、制御手段３０Ａと有線又は無線接続されており、通信手段５０Ａが、表示装置５との間でデータ通信を行えるようになっている点で実施の形態（１）の場合と異なる。
【００５３】
他の表示装置５は、表示手段１５と、記憶手段２５と、画面情報記憶手段２６と、制御手段３５と、通信手段５５とを備えている。さらに他の表示装置５には、通信手段５５を介して、プリンタ７０、記憶媒体８０、及びさらに他の表示装置（図示せず）が接続されている。他の表示装置５に含まれる各手段についても、表示装置１に含まれる各手段と同様であるので、ここではその説明を省略する。
【００５４】
図７は、図６に示した制御手段の動作を示すフローチャートである。図示したフローは、図８にその詳細を示す応答処理ステップＳ３００Ａの内容が異なることを除いては、図２に示したフローと同様であるので、ここではその説明を省略する。
【００５５】
図８は、図７に示した応答処理ステップＳ３００Ａを詳細に示したフローチャートである。図示したフローは、軌跡判断ステップＳ３０７Ａ及び軌跡入力応答ステップＳ３０９Ａの内容が異なることを除いては、図３に示したフローと同様であるので、ここでは同じ部分の説明を省略する。
【００５６】
制御手段３０Ａは、ステップＳ３０６において、入力モードが軌跡タッチ入力モードであると判断すると、軌跡判断ステップＳ３０７Ａに進んで、表示手段１０に対してなされた軌跡タッチ入力操作が他の表示装置５の表示手段１５での表示を示す所定の文字入力操作、本実施の形態では文字「Ｄ」を描く文字入力操作に該当するか否かを判断する。「Ｄ」に該当すると判断すると軌跡入力応答ステップＳ３０９に進んで、現在表示されている画面情報を他の表示装置５に送信した後、ステップＳ３１４に進む。他の表示装置５の制御手段３５は、通信手段５５から上記送信を受けると、上記画面情報を表示手段１５に表示する。一方、「Ｄ」に該当しないと判断するとステップＳ３１２に進む。
【００５７】
図９は、図４（ａ）に示した画面に対してなされた「Ｄ」に該当する文字入力操作の一例を示した図である。
上述した実施の形態（２）に係る表示装置によれば、表示手段１０に対する所定の文字入力操作により、現在表示されている画面情報を速やかに他の表示装置５の表示手段１５に表示させることができる。
【００５８】
したがって、図４（ａ）又は（ｄ）に示したような表示画面により異常を認識した作業者は、表示手段１０の画面表示を切り替えることなく表示手段１０に対して図９に示したような文字入力操作を行うだけで、表示手段１０に表示されたエラーメッセージや異常な動作状況を示す画像等の画面情報を速やかに他の表示装置５の表示手段１５に表示させることができる。他の表示装置５の制御手段３５は、通信手段５５を介して、プリンタ７０や記録媒体８０に上記画面情報を送信し、プリントアウト或いは保存を行わせる。したがって、他の表示装置５の管理者は、管轄工程に関連する各機器に配設された表示装置１及びさらに他の表示装置（図示せず）の画面表示を集中遠隔管理することができる。
【００５９】
別の実施の形態では、このような軌跡タッチ入力操作に伴う、プリンタ７０や記録媒体８０などの外部装置における画面情報の処理を、上述した軌跡判断情報と共に、カスタマイズ可能に構成する。これによりユーザは、画面情報の外部装置における処理として、プリントアウト、或いは記録媒体への書き込み等の処理を設定することができ、表示装置をユーザの使用環境に適した利便性の高いものとすることができる。
【図面の簡単な説明】
【００６０】
【図１】本発明の実施の形態（１）に係る表示装置の構成を概略的に示したブロック図である。
【図２】図１に示した制御手段の動作を示すフローチャートである。
【図３】図２に示した応答処理ステップを詳細に示したフローチャートである。
【図４】（ａ）は、エラーメッセージが表示された表示手段における画面の一例を示した図であり、（ｂ）及び（ｃ）は、それぞれ（ａ）に示した画面に対してなされた「Ｐ」及び「Ｓ」に該当する文字入力操作の一例を示した図であり、（ｄ）は、異常な動作状況が表示された表示手段における画面の一例を示した図である。
【図５】軌跡判断情報のカスタマイズを行う際の作画ソフトがインストールされたパーソナルコンピュータにおける画面の一例を示した図である。
【図６】本発明の実施の形態（２）に係る表示装置の構成を概略的に示したブロック図である。
【図７】図６に示した制御手段の動作を示すフローチャートである。
【図８】図７に示した応答処理ステップを詳細に示したフローチャートである。
【図９】図４（ａ）に示した画面に対してなされた「Ｄ」に該当する文字入力操作の一例を示した図である。
【符号の説明】
【００６１】
１  表示装置
２  処理装置
５  他の表示装置
１０、１５  表示手段
２０、２５  記憶手段
２１、２６  画面情報記憶手段
３０、３０Ａ、３５  制御手段
４０  タッチ入力検出手段
５０、５０Ａ、５５  通信手段
７０  プリンタ
８０  記憶媒体
【図１】
2005084862.tif 000003
【図２】
2005084862.tif 000004
【図３】
2005084862.tif 000005
【図４】
2005084862.tif 000006
【図５】
2005084862.tif 000007
【図６】
2005084862.tif 000008
【図７】
2005084862.tif 000009
【図８】
2005084862.tif 000010
【図９】
2005084862.tif 000011